【手続補正書】
【提出日】平成27年12月26日(2015.12.26)
【手続補正１】
【補正対象書類名】特許請求の範囲
【補正対象項目名】全文
【補正方法】変更
【補正の内容】
【特許請求の範囲】
【請求項１】
圧電基板と、
該圧電基板の主面に配置された弾性波共振子とを備え、
該弾性波共振子は、第１ＩＤＴ電極と、該第１ＩＤＴ電極に電気的に接続された第２ＩＤＴ電極とを備えており、
前記第１ＩＤＴ電極は、信号入力側の第１櫛歯状電極と、信号出力側の第２櫛歯状電極とを含むとともに、前記第２ＩＤＴ電極は、信号入力側の第３櫛歯状電極と、信号出力側の第４櫛歯状電極とを含み、
前記第１ＩＤＴ電極は、
前記第１櫛歯状電極が、第１バスバー電極と、該第１バスバー電極に接続されて前記第２櫛歯状電極側に向かって延びている複数の第１電極指とを有するとともに、
前記第２櫛歯状電極が、前記第１バスバー電極に対向して配置されている第２バスバー電極と、前記第２バスバー電極に接続されて前記第１櫛歯状電極側に向かって延びているとともに前記第１電極指に隣り合う部分を有する複数の第２電極指とを有し、
前記第３櫛歯状電極が、第３バスバー電極と、該第３バスバー電極に接続されて前記第４櫛歯状電極側に向かって延びている複数の第３電極指とを有するとともに、
前記第４櫛歯状電極が、前記第３バスバー電極に対向して配置された第４バスバー電極と、該第４バスバー電極に接続されて前記第３櫛歯状電極側に向かって延びているとともに前記第３電極指に隣り合う部分を有する複数の第４電極指とを有しており、
前記第１バスバーから前記第２バスバーに向けて配置されている方向を第１方向とし、前記第３バスバーから前記第４バスバーに向けて配置されている方向を第２方向とすると、
前記第１方向および前記第２方向は、前記圧電基板の結晶方位であるＺ軸方向の成分を持ち、その極性が互いに異なる、弾性波素子。
【請求項２】
前記第１方向と前記第２方向とは逆方向である、請求項１に記載の弾性波素子。
【請求項３】
前記第１櫛歯状電極に電気的に接続された信号入力配線と、前記第２櫛歯状電極に電気的に接続された信号出力配線とをさらに備え、
前記第１ＩＤＴ電極は、前記第１櫛歯状電極が前記第３櫛歯状電極に電気的に接続されているとともに、前記第２櫛歯状電極が前記第４櫛歯状電極に電気的に接続されていることにより、前記第２ＩＤＴ電極と電気的に並列接続されている請求項１または２に記載の弾性波素子。
【請求項４】
前記第１櫛歯状電極に電気的に接続された信号入力配線と、前記第４櫛歯状電極に電気的に接続された信号出力配線とをさらに備え、
前記第１ＩＤＴ電極は、前記第２櫛歯状電極が前記第３櫛歯状電極に電気的に接続されていることにより、前記第２ＩＤＴ電極と電気的に直列接続されている請求項１または２に記載の弾性波素子。
【請求項５】
前記第１ＩＤＴ電極は、前記第１バスバー電極に接続されて前記第２電極指の先端に対して第１ギャップを有する位置に先端が位置している複数の第１ダミー電極指と、前記第２バスバー電極に接続されて前記第１電極指の先端に対して第２ギャップを有する位置に先端が位置している複数の第２ダミー電極指とを有し、
前記第２ＩＤＴ電極は、前記第３バスバー電極に接続されて前記第４電極指の先端に対して第３ギャップを有する位置に先端が位置している複数の第３ダミー電極指と、前記第４バスバー電極に接続されて前記第３電極指の先端に対して第４ギャップを有する位置に先端が位置している複数の第４ダミー電極指とを有している請求項１乃至４のいずれかに記載の弾性波素子。
【請求項６】
前記第１ＩＤＴ電極は、前記第１方向に対して垂直な方向に第１弾性波を伝搬させるとともに、
前記第２ＩＤＴ電極は、前記第２方向に対して垂直な方向に第２弾性波を伝搬させ、
前記第２ＩＤＴ電極は、前記第２弾性波が前記第１弾性波に沿うように前記第１ＩＤＴ電極に対して配置されており、
前記第１ＩＤＴ電極および前記第２ＩＤＴ電極の間には、前記第１弾性波または前記第２弾性波を反射する反射器電極がさらに配置されている請求項１〜５のいずれかに記載の弾性波素子。
【請求項７】
前記反射器電極は、前記第１ＩＤＴ電極側に配置された第１反射器電極と、前記第２ＩＤＴ電極側に配置された第２反射器電極とを有しているとともに、前記第１反射器電極および前記第２反射器電極の間を通って前記第１ＩＤＴ電極および前記第２ＩＤＴ電極に電気的に接続する接続配線を有している請求項６に記載の弾性波素子。
【請求項８】
前記第１ＩＤＴ電極および前記第２ＩＤＴ電極は、前記反射器電極を介して電気的に接続されている請求項７に記載の弾性波素子。
【請求項９】
前記第１バスバー電極および前記第３バスバー電極が前記反射器電極に電気的に接続されていることにより、前記第１ＩＤＴ電極および前記第２ＩＤＴ電極が電気的に接続されている請求項３を引用する請求項８に記載の弾性波素子。
【請求項１０】
前記反射器電極は、
前記第１ＩＤＴ電極側に配置された第１反射器電極と、前記第２ＩＤＴ電極側に配置された第２反射器電極とを有しているとともに、
前記第１ＩＤＴ電極において前記第１反射器電極とは前記第１弾性波が伝搬する方向に対して反対側に位置する第３反射器電極と、
前記第２ＩＤＴ電極において前記第２反射器電極とは前記第２弾性波が伝搬する方向に対して反対側に位置する第４反射器電極とをさらに有し、
前記第２櫛歯状電極および前記第４櫛歯状電極は、前記第３反射器電極を介して電気的に接続されている請求項９に記載の弾性波素子。
【請求項１１】
前記第４櫛歯状電極および前記第４反射器電極が電気的に接続されている請求項１０に記載の弾性波素子。
【請求項１２】
前記第１反射器電極と前記第２反射器電極とは一体に形成されている、請求項１１に記載の弾性波素子。
【請求項１３】
前記反射器電極は、
前記第１ＩＤＴ電極側に配置された第１反射器電極と、前記第２ＩＤＴ電極側に配置された第２反射器電極とを有しているとともに、
前記第１ＩＤＴ電極において前記第１反射器電極とは前記第１弾性波が伝搬する方向に対して反対側に位置する第３反射器電極と、
前記第２ＩＤＴ電極において前記第２反射器電極とは前記第２弾性波が伝搬する方向に対して反対側に位置する第４反射器電極とをさらに有し、
前記第１〜第４反射器電極のうち、前記第１櫛歯状電極または前記第３櫛歯状電極に接続される数と、前記第２櫛歯状電極または前記第４櫛歯状電極に接続される数とが同数である、請求項８に記載の弾性波素子。
【請求項１４】
前記第１ＩＤＴ電極は、前記第１方向に対して垂直な方向に第１弾性波を伝搬させるとともに、
前記第２ＩＤＴ電極は、前記第２方向に対して垂直な方向に第２弾性波を伝搬させ、
前記第２ＩＤＴ電極は、前記第２弾性波が前記第１弾性波に沿うように前記第１ＩＤＴ電極に対して配置されており、
前記第２櫛歯状電極および前記第３櫛歯状電極が隣接するとともに、該第３櫛歯状電極側に位置する前記第２電極指と、前記第２櫛歯状電極側に位置する前記第３電極指とが隣接している請求項４に記載の弾性波素子。
【請求項１５】
前記圧電基板上に位置して前記第１ＩＤＴ電極と前記第２ＩＤＴ電極との間に配置された、偶数本の電極指を有する反射器電極を備え、
前記第１ＩＤＴ電極の前記第２ＩＤＴ電極側の端部に位置する電極指と、前記第２ＩＤＴ電極の前記第１ＩＤＴ電極側の端部に位置する電極指との極性が異なっている請求項１４に記載の弾性波素子。
【請求項１６】
前記圧電基板上に位置して前記第１ＩＤＴ電極と前記第２ＩＤＴ電極との間に配置された、奇数本の電極指を有する反射器電極を備え、
前記第１ＩＤＴ電極の前記第２ＩＤＴ電極側の端部に位置する電極指と、前記第２ＩＤＴ電極の前記第１ＩＤＴ電極側の端部に位置する電極指との極性が同じである請求項１４に記載の弾性波素子。
【請求項１７】
前記第２ＩＤＴ電極は、前記第１ＩＤＴ電極と形状および大きさが同じである請求項１〜１６のいずれかに記載の弾性波素子。
【請求項１８】
アンテナ端子と、送信信号をフィルタリングして前記アンテナ端子に出力する送信フィルタと、前記アンテナ端子からの受信信号をフィルタリングする受信フィルタとを備えた分波器であって、
前記送信フィルタは、請求項１〜１７のいずれか１項に記載の弾性波素子を有する分波器。
【請求項１９】
前記送信フィルタは、第２弾性波共振子を複数有しているとともに前記弾性波共振子および複数の前記第２弾性波共振子によりラダー型フィルタを構成しており、
前記弾性波共振子は、前記第２弾性波共振子よりも前記アンテナ端子側に位置している請求項１８に記載の分波器。
【請求項２０】
アンテナと、
該アンテナに電気的に接続された請求項１８または１９に記載の分波器と、
該分波器に電気的に接続されたＲＦ−ＩＣとを備える通信モジュール。